(57)【要約】【課題】引き戸に設ける鎌錠の受座について、フックとトリガーの配置間隔が異なる鎌錠本体についても同一の彫込み溝を用いることで使用可能な受座を提供すること。【解決手段】前面を開口した函形の受座本体２４の前面に開口部２２を配置した前板２１に形成された開口部２２から鎌錠本体１のフック１１を回動しながら挿入して前板２１の開口部２２における端部に形成した受け部２３に掛止させることにより施錠される鎌錠の受座２において、前記前板２１の開口部２２における前記フックの係入する側と対向する端部に前記鎌錠本体１のトリガー１２を当接させるための補助部材６を着脱自由に取り付け可能としたこと。【選択図】図１
2015148118.tif 000002
【特許請求の範囲】
【請求項１】
前面を開口した函形の受座本体の前面に配置した前板に形成された開口部から鎌錠本体のフックを回動しながら挿入して前記前板の開口部における端部に形成した受け部に掛止させることにより施錠される鎌錠の受座において、前記前板の開口部における前記フックの係入する側と対向する端部に前記鎌錠本体のトリガーを当接させるための補助部材を着脱自由に取り付け可能としたことを特徴とする鎌錠の受座。
【請求項２】
前記補助部材が取り付けねじにより着脱自由に取り付け可能としたことを特徴とする請求項１記載の鎌錠の受座。
【請求項３】
前記補助部材がトリガー当接部と、前記受座本体の内面に沿って配置される取付部と、前記トリガー当接部と取付部とを連結する連結部とからなる断面がコ字形に形成されているとともに前記取付部を前記受座本体の背板の外面から貫通させた取り付けねじにより着脱自由に取り付け可能としたことを特徴とする請求項１または２記載の鎌錠の受座。
【請求項４】
前記補助部材における前記連結部の連結方向の幅が前記補助部材を前記受座本体に取り付けた際に前記トリガー当接部が前記前板とほぼ同一面となるように形成されていることを特徴とする請求項１または２記載の鎌錠の受座。
【請求項５】
前記鎌錠本体のフックを掛止する受け部が前記前板に対して前後方向または上下方向の少なくとも一方向に調節可能であることを特徴とする請求項１，２，３または４記載の鎌錠の受座。
【請求項６】
前記前板を受け具本体の前面に設置した下板と前記下板に縦方向に摺動可能に且つ調整位置で固定可能として枠体に取り付け可能な上板とから形成することにより受け部の縦方向位置が調整可能であることを特徴とする請求項１，２，３，４または５記載の鎌錠の受座。
【発明の詳細な説明】
【技術分野】
【０００１】
本発明は、引き戸における柱や縦枠に埋設され、引き戸閉鎖時に鎌錠のフックが係合する鎌錠の受座に関するものである。
【背景技術】
【０００２】
従来、引き戸端面と柱または縦枠とを当接させて連結する簡便な施錠手段として、鎌錠が広く用いられている。この鎌錠は、図５ (Ａ)に示すように引き戸４などの端面に彫り込まれた彫込溝に埋設される鎌錠本体１と、柱や縦枠などの枠体５に彫り込まれた彫込溝５１に埋設される全体が筺状の受座２とからなり、鎌錠本体１のフック１１を回動させて受座２の前板２１に設けた開口部２２から鎌錠本体１のフック１１を回動しながら挿入して前記前板２１の開口部２２における端部に形成した受け部２３に掛止させることにより施錠されるものである。
【０００３】
ところで、斯かる鎌錠は施錠時においてフック１１を回動させる際に鎌錠本体１に前記受座２の前板２１に当接させてフック１１を回動させるトリガー１２を採用しているもの（例えば特公昭５６−３３５５３公報、実公平３−２４７７８号公報、特開平８−８６１３２号公報等参照）が知られている。
【０００４】
これらの鎌錠は引き戸を閉じた後に手動で鎌部材を突出させて戸枠体の掛止部に掛止させ、また引き戸を開ける際も手動で鎌部材を掛止部から外し錠ケース内へ収納させてから、引き戸を開けるようにしたもの（例えば実開平５−４７２６３号公報参照）に比べてフック１１が引き戸４の開閉に伴って自動的に施錠および解錠状態になるのでフックの施錠および解錠操作を必要とせず引き戸４の開閉だけで施解錠が行えるのできわめて便利である。
【０００５】
そして、前記従来の鎌錠は図５（Ａ）に示すように鎌錠本体１に出没可能に配置したトリガー１２を受座２の前板２１における開口部２２の近辺に押し当てることにより引き戸４の開閉操作にフック１１の作動を協動させたものである。
【０００６】
そのため、従来の鎌錠は前記鎌錠本体１とこの鎌錠本体１のトリガー１２などの構造に沿って設計された受座２のそれぞれ一組がセットとなって販売されており、受座２を埋め込むための彫込溝についてもセットされた受座ごとに合わせて形成する必要があり、よって各種の鎌錠本体ごとに適合する受座、彫込溝の形状を都度変更しなければならないため、きわめて不便であった。
【０００７】
そこで、フックの大小や繰り出しの違いによる複数の鎌錠本体に合致可能な受座を提供することにより製品価格の節約を図ることや取り付け後に鎌錠本体だけを交換可能とすることが考えられる。
【０００８】
多くの鎌錠本体１に対応させるための共通の受座２は前板２１に形成した開口部２２を縦長に形成するとともに開口部２２の受け部２３の位置を調整可能にすることにより可能とされる。
【０００９】
しかしながら、フック１１については受け部２３の調整機構（図示せず）により調整可能であるが、図５（Ｂ）に示すようにトリガー１２の位置がフック１１に近い場合にはトリガー１２が開口部２２に挿入して作用しないという問題があり、鎌錠本体１と受座２はセットで販売されているのが現状であり、常に鎌錠本体に合わせた受座を製造、販売しなければならないという問題がある。
【先行技術文献】
【特許文献】
【００１０】
【特許文献１】特公昭５６−３３５５３公報
【特許文献２】実公平３−２４７７８号公報
【特許文献３】実開平５−４７２６３号公報
【特許文献４】特開平８−８６１３２号公報
【発明の開示】
【発明が解決しようとする課題】
【００１１】
本発明は、上記のような問題点を解決しようとするものであり、引き戸に設ける鎌錠の受座について、フックとトリガーの配置間隔が異なる鎌錠本体についても使用可能な受座を提供することを課題とする。
【課題を解決するための手段】
【００１２】
前記課題を解決するためになされた本発明は、前面を開口した函形の受座本体の前面に開口部を配置した前板に形成された開口部から鎌錠本体のフックを回動しながら挿入して前記前板の開口部における端部に形成した受け部に掛止させることにより施錠される鎌錠の受座において、前記前板の開口部における前記フックの係入する側と対向する端部に前記鎌錠本体のトリガーを当接させるための補助部材を着脱自由に取り付け可能としたことを特徴とする。
【００１３】
鎌錠本体のトリガーを当接させるための補助部材を着脱自由に取り付け可能とし、使用する鎌錠本体のトリガー位置に合わせて補助部材を使用する場合と使用しない場合とに合わせてトリガーを有効に使用可能としてフックならびにトリガーの位置が異なる複数種類の鎌錠本体に対応可能とする。
【００１４】
また、本発明において、前記補助部材が取り付けねじにより着脱自由に取り付け可能としたことにより、簡単確実に補助部材の脱着が行え、前記補助部材がトリガー当接部と、前記受座本体の内面に沿って配置される取付部と、前記トリガー当接部と取付部とを連結する連結部とからなる断面がコ字形に形成されているとともに前記取付部を前記受座本体の背板の外面から貫通させた取り付けねじにより着脱自由に取り付け可能とした場合には取付部が外部に露出しないので補助部材を取り付けた場合にも外観が美麗である。
【００１５】
更に、前記補助部材における前記連結部の連結方向の幅が前記補助部材を前記受座本体に取り付けた際に前記トリガー当接部が前記前板とほぼ同一面となるように形成されている場合には美観に優れていると共に補助部材が前板よりも突出しないことから鎌錠本体と受座との間に隙間を形成することがなく、施錠時にがたついたりする心配もない。加えて、鎌錠本体のフックを掛止する受け部の位置を前後方向や縦方向に調整可能とすることで更に１つの受座で使用することが可能な鎌錠本体の種類が増大する。特に、本発明では前板を受け具本体の前面に設置した下板と前記下板に縦方向に摺動可能に且つ調整位置で固定可能として枠体に取り付け可能な上板とから形成することにより補助部材の縦方向位置を無段階に調整可能として多くの種類の鎌錠本体に対応させることができる。
【発明の効果】
【００１６】
本発明によると、鎌錠本体のフックの大きさやトリガーの設置位置が異なる複数の鎌錠本体に対して適用可能であり、鎌錠本体に合わせて個別の受座を製造する必要がなく製品価格を廉価にすることができるとともに取り付け後に鎌錠本体を取り替えてもそのまま使用することも可能である。
【００１７】
加えて、前記鎌錠本体のフックを掛止する受け部が前記前板に対して前後方向または上下方向の少なくとも一方向に調節可能とすることにより多くの種類の鎌錠本体におけるフックに対応することができる。
【図面の簡単な説明】
【００１８】
【図１】本実施の形態における受座の斜視図を示すものであり、（Ａ）は補助部材を取り外した状態、（Ｂ）は補助部材を取り付けた状態、（Ｃ）は前板の一部を分解した状態の補助部材を取り外した状態を示す。
【図２】受座の補助部材を取り外した状態の正面図。
【図３】補助部材を取り付けた状態を示す正面図。
【図４】図３のＹ−Ｙ線に沿う断面図。
【図５】従来例および本発明の実施の形態についての使用状態を示す説明図。
【発明を実施するための最良の形態】
【００１９】
図面を参照して本発明の実施の形態を説明すると、図１は本実施の形態における受座の斜視図を示すものであり、（Ａ）は補助部材を取り外した状態を示し、（Ｂ）は補助部材を取り付けた状態を示し、（Ｃ）は前板の一部を分解した状態の補助部材を取り外した状態をそれぞれ示すものである。図２は受座の補助部材を取り外した状態の正面図、図３は補助部材を取り付けた状態を示す正面図、図４は図３のＹ−Ｙ線に沿う断面図である。
【００２０】
受座２は前面を開口した細長直方体状を呈する函形の受座本体２４の前面に細長矩形状の開口部２２を配置した前板２１が固着されており、図示しない縦枠または柱の引き戸が当接する枠体の引き戸側鎌錠本体に対応する位置に形成された彫込溝に、筺形の受け座本体２４が埋設されるとともに、前記前板２１に形成した取付孔２５にネジ２６で固定されてなるものである。
【００２１】
また、本実施の形態では前板２１が前記受座本体２４に固着された縦方向に延びる長孔の取付孔２５ａを有する下板２１ａと前記前板の前面に配置された円孔の取付孔２５ｂを有する上板２１ｂとからなり、上板２１ｂと下板２１ａとの縦方向位置をスライドさせることにより開口部２２の一端に形成した受け部２３の縦方向位置を調節可能として使用する鎌錠本体のフックの位置に対応可能としている。
【００２２】
更に、本実施の形態では、前記受け部２３が前記下板２１ｂの開口部２２にフックを掛止める受け具本体２３１が露出して配置されているとともにこれに連続する調整部２３２が下板２１ａの内部に調節ねじ２３３により前後方向に移動可能に且つコイルばねからなる弾性体２３４により前方へ付勢された状態で配置されており、前記調節ねじ２３３を回転させることにより鎌錠本体に設置されたフック（図示せず）の前後方向の掛止位置を調整可能として更に多くのフックの掛止位置が異なる鎌錠本体に対応可能とされている。
【００２３】
更にまた、本実施の形態で使用される補助部材６は、前記前板２１の開口部２２における受け部２３に対向する端部に配置されるものであり、全体が端面コ字形で受座本体２４に取り付けた際に前記前板２１を構成する上板２１ｂに面一となるように配置されるトリガー当接部６１と、前記受座本体２４の内面に沿って配置される取付部６２と、前記トリガー当接部６１と取付部６２とを連結する連結部６３とからなり、前記取付部６２を前記受座本体２４の背板２７の外面から貫通させた取り付けねじ６４により外側から着脱自由に取り付けるものである。
【００２４】
以上の構成を有する本実施の形態は、例えば図５（Ａ）に示すように、補助部材６を使用しなくても鎌錠本体１のフック１１およびトリガー１２が支障なく使用可能な場合には補助部材６を取り外した状態で従来の鎌錠の受座と同様にして使用すればよい。特に、本実施の形態ではフック１１の受け部２３が縦方向ならびに前後方向に調節可能であり、多くの種類の鎌錠本体１に対応させることが可能である。
【００２５】
一方、図５（Ｂ）に示すように、補助部材６を装着しない場合には鎌錠本体１のトリガー１２が前板２１に当接することができずに使用できないが、その場合には補助部材を取り付けた状態で使用することにより図５（Ｃ）に示すように補助部材６のトリガー当接部６１がトリガー１２の受けとなって有効にフック１１を作動させることになりこの種の鎌錠本体１にも対応することが可能である。
【００２６】
このとき、本実施の形態では、補助部材６を受座本体２４の背板２７の外面から貫通させた取り付けねじ６４により外側から着脱自由に取り付けるものであり、着脱作業が容易で取り付けが確実であるばかりか、取り付けねじ６４を含めて取り付け部が外部に露出しないので補助部材６を取り付けた場合にも外観が美麗である。
【００２７】
更に、前記補助部材６におけるトリガー当接部６１が前記前板２１とほぼ同一面となるように形成されているので美観に優れているとともに補助部材６が前板２１よりも突出しないことから鎌錠本体１と受座２との間に隙間を形成することがなく、施錠時にがたついたりする心配もない。
【００２８】
特に、前板２１を受け具本体２４の前面に設置した下板２１ａと上板２１ｂに縦方向に摺動可能に且つ調整位置で固定可能として枠体５に取り付け可能な上板２１ｂとから形成することにより補助部材６の縦方向位置を無段階に調整可能であり、多くの種類の鎌錠本体１に対応させることができる。
【符号の説明】
【００２９】
１  鎌錠本体、２  受座、４  引き戸、５  枠体、６  補助部材、１１  フック、１２  トリガー、２１  前板、２１ａ  下板、２１ｂ  上板、２２  開口部、２３  受け部、２４  受座本体、２５，２５ａ，２５ｂ  取付孔、２６  ネジ、２７  背板、６１  トリガー当接部、６２  取付部、６３  連結部、６４  取り付けねじ、２３１  受け具本体、２３２  調整部、２３３  調整ねじ、２３４  弾性体
【図１】
2015148118.tif 000003
【図２】
2015148118.tif 000004
【図３】
2015148118.tif 000005
【図４】
2015148118.tif 000006
【図５】
2015148118.tif 000007